(57)【要約】【課題】熱交換器等を別途準備する必要がなく、且つ、浄水器が大型化しない。【解決手段】加湿装置１は、浄水器２と蒸気式加湿器３とを備える。原水は、第１配管４を介して浄水器２へ供給される。浄水器２において浄化された水は、蒸気式加湿器３に供給される。第１配管４の少なくとも一部は、蒸気式加湿器３に巻回されていることにより、蒸気式加湿器３を構成する部材のいずれかから熱を受け取ることが可能な位置に配置されている。【選択図】図１
2020070982.tif 000002
【特許請求の範囲】
【請求項１】
逆浸透膜を有し、供給された原水を前記逆浸透膜を通過する透過水と前記逆浸透膜を通過しない濃縮水に分離する浄水器と、
水を貯留する貯留槽、および、前記貯留槽内の水を加熱する加熱器を有する加湿器と、
前記浄水器に連通し、前記浄水器に原水を供給するための第１配管と、
前記浄水器と前記貯留槽とに連通し、前記透過水を前記貯留槽に供給するための第２配管とを備え、
前記第１配管の少なくとも一部は、前記加湿器を構成する部材のいずれかから熱を受け取ることが可能な位置に配置されていることを特徴とする加湿装置。
【請求項２】
前記第１配管は、前記加湿器を構成する部材のいずれかから熱を受け取ることが可能な位置に配置された熱交換部を有し、
前記第１配管において原水が流れる方向について前記熱交換部の上流と下流に、それぞれ原水が流れる方向の上流側端部と下流側端部が接続された第３配管と、
前記第１配管および前記第３配管の少なくとも一方に配置された少なくとも１つの弁とを備える請求項１に記載の加湿装置。
【請求項３】
前記少なくとも１つの弁として、第１の弁と第２の弁を有し、
前記第１の弁は前記第３配管に配置され、
前記第２の弁は、前記第１配管において、前記第３配管における前記上流側端部が接続された第１接続部と、前記第３配管における前記下流側端部が接続された第２接続部との間に配置されていることを特徴とする請求項２に記載の加湿装置。
【請求項４】
前記弁は三方弁であり、
前記三方弁は、前記第１配管と前記第３配管における前記上流側端部が接続された第１接続部又は、前記第１配管と前記第３配管における前記下流側端部が接続された第２接続部に配置されていることを特徴とする請求項２に記載の加湿装置。
【請求項５】
前記第１配管において、原水の流れる方向について、前記第３配管における前記下流側端部との接続部の下流に配置された温度計を備えていることを特徴とする請求項２〜４のいずれか１項に記載の加湿装置。
【請求項６】
前記加湿器を構成する部材のいずれかを覆う断熱材を備えることを特徴とする請求項１〜５のいずれか１項に記載の加湿装置。
【請求項７】
前記第１配管は、前記加湿器を構成する部材のいずれかから熱を受け取ることが可能な位置に配置された熱交換部を有し、
前記熱交換部を覆う断熱材を備えることを特徴とする請求項１〜６のいずれか１項に記載の加湿装置。
【発明の詳細な説明】
【技術分野】
【０００１】
本発明は、浄水器により浄化された水を利用する加湿装置に関する。
【背景技術】
【０００２】
近年、加湿装置において、浄水器により浄化された水が加湿用の水として使用されている。浄水器として、例えば、逆浸透膜を用いた浄水器が知られている。逆浸透膜を用いた浄水器において、浄水器に供給された原水は、逆浸透膜を通過した透過水と逆浸透膜を通過しない濃縮水とに分離される。逆浸透膜を通過した透過水は、加湿装置に供給され、加湿用の水として使用される。
【０００３】
逆浸透膜を用いた浄水器において、透過水が逆浸透膜を通過する透過性は、浄水器に供給される原水の温度によって変化する。原水の温度が低い場合、透過性は低い。原水の温度が高くなるにつれて透過性が高くなる。したがって、透過性を高めるためには、浄水器に供給する原水の温度を高くすることが考えられる。特許文献１には、原水を浄水器へ供給する前に、原水を熱交換器等により加熱することが開示されている。また、透過水量を増加させる方法として、逆浸透膜の面積を大きくする方法がある。逆浸透膜の面積を大きくした場合、原水の温度が低いときでも透過水量を多くすることができる。
【先行技術文献】
【特許文献】
【０００４】
【特許文献１】特開平６−２５４５５３号公報
【発明の概要】
【発明が解決しようとする課題】
【０００５】
特許文献１に開示された方法では、原水を加熱するために熱交換器を別途準備する必要がある。また、逆浸透膜の面積を大きくする方法では、逆浸透膜の面積を大きくすることに伴い浄水器が大型化する。
【０００６】
本発明の目的は、逆浸透膜を用いた浄水器を備えた加湿装置において、熱交換器等を別途準備する必要がなく、且つ、浄水器が大型化しない加湿装置を提供することである。
【課題を解決するための手段】
【０００７】
本発明の加湿装置は、逆浸透膜を有し、供給された原水を前記逆浸透膜を通過する透過水と前記逆浸透膜を通過しない濃縮水に分離する浄水器と、水を貯留する貯留槽、および、前記貯留槽内の水を加熱する加熱器を有する加湿器と、前記浄水器に連通し、前記浄水器に原水を供給するための第１配管と、前記浄水器と前記貯留槽とに連通し、前記透過水を前記貯留槽に供給するための第２配管とを備え、前記第１配管の少なくとも一部は、前記加湿器を構成する部材のいずれかから熱を受け取ることが可能な位置に配置されている。
ここで、逆浸透膜とは、原水に含まれる一部の成分、例えば、水等の溶媒を透過させる膜であり、且つ、他の成分を透過させない膜である。
【０００８】
上記構成によると、原水が通過する第１配管の少なくとも一部が、加湿器を構成する部材のいずれかから熱を受け取ることが可能な位置に配置されている。これにより、第１配管を通過する原水が、加湿装置の一部である加湿器から発生する排熱によって加熱される。したがって、原水を加熱するために、加湿装置以外の機器、例えば熱交換器を別途準備する必要がない。また、加熱された原水が浄水器に供給されるため、浄水器において逆浸透膜の透過性が高くなる。したがって、逆浸透膜の面積を大きくすることなく、透過水量を多くすることができ、浄水器が大型化しない。
よって、上記加湿装置は、加湿装置以外の機器を別途必要とせず、且つ、大型化しない加湿装置である。
【０００９】
また、上記構成において、前記第１配管は、前記加湿器を構成する部材のいずれかから熱を受け取ることが可能な位置に配置された熱交換部を有し、前記第１配管において原水が流れる方向について前記熱交換部の上流と下流に、それぞれ原水が流れる方向の上流側端部と下流側端部が接続された第３配管と、前記第１配管および前記第３配管の少なくとも一方に配置された少なくとも１つの弁とを備えることが好ましい。
【００１０】
上記構成において、第３配管から流れた原水は加熱されていない。そのため、少なくとも１つの弁の開閉状態を切り換えることにより、第１配管における熱交換部の下流において、熱交換部で加熱された原水と、加熱されていない原水とを混合して、原水の温度を調整することができる。その結果、熱交換部で加熱された原水よりも低い温度の原水を浄水器へ供給することができる。熱交換部で加熱された原水の温度が高すぎる場合、少なくとも１つの弁の開閉状態を切り換えることにより、適温の原水を浄水器に供給することができる。
【００１１】
また、上記構成において、前記少なくとも１つの弁として、第１の弁と第２の弁を有し、前記第１の弁は前記第３配管に配置され、前記第２の弁は、前記第１配管において前記第３配管における前記上流側端部が接続された第１接続部と、前記第３配管における前記下流側端部が接続された第２接続部との間に配置されていることが好ましい。
【００１２】
上記構成によると、例えば、第２の弁を開状態へ切り換えることにより、原水が、第１配管の熱交換部へ流れる。
また、第１の弁および第２の弁において開状態と閉状態の切り換えを行うことにより、浄水器に供給される原水の温度を調整することができる。
例えば、（１）第１の弁および前記第２の弁を開状態へ切り換えたとき、第１配管において第２接続部の下流に、熱交換部で加熱された原水と第３配管から供給された非加熱の原水とが流れる。これにより、熱交換部で加熱された原水より低い温度の原水を浄水器へ供給することができる。熱交換部で加熱された原水の温度が高すぎる場合、適温の原水を浄水器に供給することができる。また、（２）第１の弁を開状態へ切り換え且つ第２の弁を閉状態へ切り換えたとき、第１配管において第２接続部の下流に、第３配管から供給された非加熱の原水が流れる。これにより、非加熱の原水が浄水器へ供給される。原水の温度がある程度高い場合、原水を加熱することなく浄水器へ供給することができる。また、（３）第１の弁を閉状態へ切り換え且つ第２の弁を開状態へ切り換えたとき、第１配管において第２接続部の下流に、熱交換部で加熱された原水が流れる。これにより、熱交換部で加熱された原水が浄水器に供給される。熱交換部で加熱された原水の温度を低下させなくてよい場合、非加熱の原水を混合することなく、加熱された原水を浄水器へ供給することができる。
【００１３】
また、上記構成において、前記弁は三方弁であり、前記三方弁は、前記第１配管と第３配管における前記上流側端部が接続される第１接続部又は前記第１配管と前記第３配管における前記下流側端部が接続される第２接続部に配置されていることが好ましい。
【００１４】
上記構成によると、三方弁の開閉状態を切り替えることにより、浄水器に供給される原水の温度および流量を調整することができる。また、三方弁の開度を調整することにより、浄水器に供給される原水の温度および流量を調整することができる。
【００１５】
また、上記構成において、前記第１配管において、原水の流れる方向について、前記第３配管における前記下流側端部との接続部の下流に配置された温度計を備えていることが好ましい。前記第３配管における下流側端部との接続部は、上述した第１の弁と第２の弁を有する構成を採用した場合、第１の弁と第２の弁を有する構成における第２接続部である。また、前記第３配管における下流側端部との接続部は、上述した三方弁を有する構成を採用した場合、三方弁を有する構成における第２接続部である。
【００１６】
上記構成によると、温度計により浄水器に供給される原水の温度を測定することができる。また、温度計よって測定された温度を基に、浄水器へ供給する原水の温度を調整することができる。
【００１７】
また、上記構成において、前記加湿器を構成する部材のいずれかを覆う断熱材を備えることが好ましい。
上記構成によると、加湿器から発生した熱が断熱材により外部に放出されにくくなる。これにより、第１配管における熱交換部が加湿器から多くの熱を受け取ることができ、加湿器におけるエネルギーロスを低減できる。
【００１８】
また、上記構成において、前記第１配管は、前記加湿器を構成する部材のいずれかから熱を受け取ることが可能な位置に配置された熱交換部を有し、前記熱交換部を覆う断熱材を備えることが好ましい。
上記構成によると、加湿器から発生し、熱交換部へ伝わった熱が断熱材により外部に放出されにくくなる。これにより、加湿器から発生した熱を有効に利用することができ、加湿器におけるエネルギーロスを低減できる。
【発明の効果】
【００１９】
本発明は、逆浸透膜を用いた浄水器を備えた加湿装置において、加湿装置以外の機器、例えば熱交換器を別途準備する必要がなく、且つ、大型化しない加湿装置を提供することができる。
【図面の簡単な説明】
【００２０】
【図１】本発明の実施形態に係る加湿装置と、加湿器と、空気調和機との模式図である。
【図２】図１に示す蒸気式加湿器の構成を示す模式断面図である。
【図３】三方弁において第１弁部および第２弁部が開状態であり、第３弁部が閉状態である場合の原水の流れを説明する模式図である。
【図４】三方弁において第１弁部および第３弁部が開状態であり、第２弁部が閉状態である場合の原水の流れを説明する模式図である。
【図５】三方弁において第１弁部、第２弁部および第３弁部が開状態である場合の原水の流れを説明する模式図である。
【図６】変形例１の加湿装置の模式図である。
【図７】変形例２の加湿装置の模式図である。
【図８】変形例３の加湿装置の模式図である。
【図９】変形例４の加湿装置の模式図である。
【図１０】変形例５の加湿装置の模式図である。
【発明を実施するための形態】
【００２１】
加湿装置１は、図１に示すように、浄水器２と、蒸気式加湿器３と、第１配管４と、第２配管５と、第３配管６と、三方弁１０とを備える。蒸気式加湿器３の貯留槽が、断熱材７によって覆われている。
【００２２】
第１配管４は浄水器２に接続されている。第１配管４を介して、浄水器２に原水が供給される。第１配管４の一部は、蒸気式加湿器３に巻回されている。第１配管４において蒸気式加湿器３に巻回されている部分を「熱交換部４１」と称する。
【００２３】
第２配管５は、浄水器２と蒸気式加湿器３に接続されている。
【００２４】
第３配管６において原水が流れる方向についての上流側端部および下流側端部は、それぞれ、第１配管４において原水が流れる方向について熱交換部４１の上流および下流に接続されている。第１配管４において、第３配管６の上流側端部が接続された部分を第１接続部４２と称し、第３配管６の下流側端部が接続された部分を第２接続部４３と称する。第１接続部４２は、第１配管４において原水が流れる方向について、第２接続部４３より上流に位置する。第１接続部４２に、三方弁１０が配置されている。
【００２５】
第１配管４において、原水が流れる方向について第２接続部４３の下流に、温度計８が配置されている。温度計８により、第２接続部４３の下流を通過する原水の温度を測定することができる。
【００２６】
浄水器２は、浄水槽の内側に逆浸透膜２１を有するものである。逆浸透膜２１により、浄水槽の内部が２つの空間に分離されている。逆浸透膜２１の材質は特に限定されないが、例えば、ポリアミド系樹脂である。
【００２７】
第１配管４を通過した原水は、浄水器２に供給され、原水の一部が逆浸透膜２１を通過して透過水が生成される。透過水は、第２配管５を通過して蒸気式加湿器３へ供給される。一方、逆浸透膜２１を通過しないで浄水器２内に残された濃縮水は、排出管２５から排出される。
【００２８】
次に、図１に示す蒸気式加湿器３について説明する。図２に、蒸気式加湿器３の構成の一例を示している。蒸気式加湿器３は、貯留槽３１と加熱器３２とを有し、加熱器３２が貯留槽３１内に貯められた水を加熱するように構成されている。加熱器３２は、貯留槽３１の内部に配置されている。図２では、貯留槽３１の内部を破線で示している。加熱器３２は、加熱制御部３４により制御される。加熱制御部３４により、例えば、加熱器３２の加熱温度の調整、加熱器３２のＯＮ、ＯＦＦの切り換えを行える。貯留槽３１には、第１配管４における熱交換部４１が巻回されている。貯留槽３１と熱交換部４１が、断熱材７によって覆われている。
【００２９】
貯留槽３１は、第２配管５に連通している。貯留槽３１は、第４配管３５に連通している。第４配管３５は、図１に示すように、例えば空気調和機１００に接続されている。
【００３０】
以下の方法により、蒸気式加湿器３で加湿された気体が発生する。
第２配管５から貯留槽３１に透過水が供給され貯留される。透過水は浄水器２において逆浸透膜２１を通過した水である。貯留槽３１に貯留された透過水が加熱器３２によって加熱されることにより、蒸気が発生する。この蒸気が、加湿された気体である。蒸気は貯留槽３１の内側に貯まり、第４配管３５を通過して、図１に示す空気調和機１００に供給される。加熱器３２により透過水を加熱したとき、貯留槽３１が加熱される。熱交換部４１は、貯留槽３１から発生した熱を受け取る。また、熱交換部４１の少なくとも一部は、貯留槽３１の周囲に配置されているため、熱交換部４１は貯留槽３１を介して加熱器３２からの熱を受け取る。これにより、熱交換部４１を通過する原水が加熱される。
【００３１】
第２配管５からは、図１に示すように、分岐配管５１が分岐している。
【００３２】
分岐配管５１は、加湿器６１に接続されている。浄水器２において浄化された透過水は、第２配管５および分岐配管５１を通過して加湿器６１に供給される。加湿器６１で発生した加湿された気体は、空気調和機１００に供給される。
【００３３】
加湿器６１は、蒸気式加湿器でもよく、例えば、超音波式加湿器や、スプレー式加湿器等の蒸気式以外の加湿器でもよい。
【００３４】
次に、図３〜５を参照しつつ、三方弁１０の開状態および閉状態の切り換えを行った場合について説明する。図３〜５に、図１に示す加湿装置１の拡大図を示している。
【００３５】
なお、図３〜５では、第１配管４について、原水の流れる方向において第１接続部４２より上流の部分を「上流管１４１」と称し、第１接続部４２と第２接続部４３との間を「中流管１４２」と称し、第２接続部４３より下流の部分を「下流管１４３」と称する。蒸気式加湿器３に巻回された熱交換部４１は、中流管１４２の一部である。また、図３〜５では、三方弁１０が第１弁部１１、第２弁部１２および第３弁部１３を有する弁として説明している。第１弁部１１は、上流管１４１から、中流管１４２および第３配管６への原水の供給、原水の供給停止および原水の流量調整を行うことができる弁部である。第２弁部１２は、上流管１４１から中流管１４２への原水の供給、原水の供給停止および原水の流量調整を行うことができる弁部である。第３弁部１３は、上流管１４１から第３配管６への原水の供給、供給停止および流量調整を行うことができる弁部である。図３〜５では、第１弁部１１、第２弁部１２および第３弁部１３において、開状態である弁部を白く塗りつぶし、閉状態である弁部を黒く塗りつぶしている。
【００３６】
先ず、図３に示すように、三方弁１０において、第１弁部１１および第２弁部１２が開状態であり、第３弁部１３が閉状態である場合について説明する。この場合、上流管１４１と中流管１４２が連通しているが、上流管１４１と第３配管６は連通していない。そのため、上流管１４１を通過した原水は、中流管１４２に流れる。中流管１４２において、原水が熱交換部４１を通過して加熱され、原水の温度が上昇する。温度上昇した原水が下流管１４３に流れる。そのため、下流管１４３を流れる原水の温度は、上流管１４１を流れる原水の温度より高い。したがって、上流管１４１を流れる原水の温度より高温の原水が浄水器２に供給される。上流管１４１を流れる原水の温度が低い場合、三方弁１０の開状態および閉状態を上記のように切り替えることにより、浄水器２に供給される原水の温度を高くすることができる。
【００３７】
次に、図４に示すように、三方弁１０において、第１弁部１１および第３弁部１３が開状態であり、第２弁部１２が閉状態である場合について説明する。この場合、上流管１４１と第３配管６が連通しているが、上流管１４１と中流管１４２は連通していない。そのため、上流管１４１を通過した原水は、第３配管６に流れ、その後、下流管１４３に流れる。下流管１４３を流れる原水の温度は、上流管１４１を流れる原水の温度とほぼ同じである。したがって、上流管１４１を流れる原水の温度とほぼ同じ温度の原水が浄水器２に供給される。上流管１４１を通過する原水の温度がある程度高く、原水を加熱する必要がない場合、三方弁１０の開状態および閉状態を上記のように切り替えることにより、上流管１４１を流れる原水の温度とほぼ同じ温度の原水を浄水器２に供給することができる。
【００３８】
続いて、図５に示すように、三方弁１０において、第１弁部１１、第２弁部１２および第３弁部１３が開状態である場合について説明する。この場合、上流管１４１と中流管１４２が連通し、且つ、上流管１４１と第３配管６が連通している。そのため、上流管１４１を通過した原水の一部は中流管１４２に流れ、残りは第３配管６に流れる。中流管１４２を通過した原水と第３配管６を通過した原水は、下流管１４３に流れる。第３配管６を通過した原水の温度は加熱されていないため、殆ど変化していないが、中流管１４２を通過した原水は加熱されたことにより、温度が上昇している。下流管１４３において、加熱された原水と加熱されていない原水が混合されることにより、下流管１４３を流れる原水の温度は、上流管１４１を流れる原水の温度より高い。したがって、上流管１４１を流れる原水の温度より高温の原水が浄水器２に供給される。上流管１４１を流れる原水の温度が低い場合、三方弁１０の開状態および閉状態を上記のように切り替えることにより、浄水器２に供給される原水の温度を高くすることができる。また、下流管１４３において、加熱された原水に加熱されていない原水を混合することにより、浄水器２に供給される原水の温度が高くなりすぎることを抑制できる。
【００３９】
上記のように、三方弁１０における第１弁部１１、第２弁部１２および第３弁部１３を開状態又は閉状態へ切り換えることにより、適切な温度の原水を浄水器２に供給することができる。ここでの「適切な温度」とは、浄水器２における逆浸透膜２１の透過性が高い原水の温度で、かつ、逆浸透膜の使用可能上限温度以下である。
【００４０】
また、三方弁１０における第１弁部１１、第２弁部１２および第３弁部１３の開度を変えることにより、原水の流量を調整することができる。また、浄水器２に供給する原水の量を調整することができる。
【００４１】
例えば、図３において、第１弁部１１および第２弁部１２の少なくとも一方の開度を調整することにより、中流管１４２に流れる原水の量を増加又は減少させることができる。また、図４において、第１弁部１１および第３弁部１３の少なくとも一方の開度を調整することにより、第３配管６に流れる原水の量を増加又は減少させることができる。このように、第１弁部１１、第２弁部１２および第３弁部１３の開度を変えることにより、浄水器２に供給される原水の量を増加又は減少させることができる。
【００４２】
また、図５において、第１弁部１１、第２弁部１２および第３弁部１３の少なくとも一つの開度を調整することにより、下流管１４３に流れる原水の量を増加又は減少させることができる。これにより、浄水器２に供給される原水の量を増加又は減少させることができる。さらに、図５において、第２弁部１２の開度を大きくする又は第３弁部１３の開度を小さくするという調整を行うことにより、下流管１４３に流れる原水において、中流管１４２から下流管１４３に流れた原水の割合を、調整前より大きくすることができる。これにより、浄水器２に供給される原水の温度を、調整前より高くすることができる。また、第２弁部１２の開度を小さくする又は第３弁部１３の開度を大きくするといった調整を行うことにより、下流管１４３を流れる原水において、第３配管６から下流管１４３に流れた原水の割合を、調整前より大きくすることができる。これにより、浄水器２に供給される原水の温度を、調整前より低くすることができる。
【００４３】
上記のように、三方弁１０における第１弁部１１、第２弁部１２および第３弁部１３の少なくとも１つの開度を調整することにより、適切な温度の原水を浄水器２に供給することができる。
【００４４】
以上に述べたように、本実施形態の加湿装置１によると以下の効果を奏する。
第１配管４の一部である熱交換部４１が、蒸気式加湿器３を構成する部材のいずれかからの排熱を受け取ることが可能な位置に配置されている。これにより、第１配管４を通過する原水が、加湿装置１の一部である蒸気式加湿器３から発生する排熱によって加熱される。したがって、原水を加熱するために、加湿装置１以外の機器、例えば熱交換器を別途準備する必要がない。また、加熱された原水が浄水器２に供給されるため、浄水器２において逆浸透膜２１の透過性が高い。したがって、逆浸透膜２１の面積を大きくすることなく、透過水量を多くすることができる。また、供給水温度が低い場合を考慮する必要がなく、逆浸透膜２１の面積が大きくならないため、浄水器が大型化しない。
よって、加湿装置１は、加湿装置１以外の機器、例えば熱交換器を別途準備する必要がなく、且つ、大型化しない加湿装置１である。
さらに、蒸気式加湿器３で発生した排熱を原水の加熱に利用できるため、加湿装置１におけるエネルギーロスを低減できる。
【００４５】
また、第１配管４において原水が流れる方向について熱交換部４１の上流と下流にそれぞれ第３配管６の両端が接続されている。第３配管６により、上流管１４１から第３配管６を介して下流管１４３へ原水を流すことができる。
【００４６】
また、三方弁１０が有する第１弁部１１、第２弁部１２および第３弁部１３を開状態又は閉状態へ切り替えることにより、浄水器２に供給される原水の温度を調整することができる。これにより適切な温度の原水を浄水器２に供給することができる。また、浄水器２に供給される原水の量を調整することができる。また、第１弁部１１、第２弁部１２および第３弁部１３の開度を調整することによっても、浄水器２に供給される原水の温度を調整することができる。これにより適切な温度の原水を浄水器２に供給することができる。また、浄水器２に供給される原水の量を調整することができる。
【００４７】
また、下流管１４３に温度計８が配置されていることにより、浄水器２へ供給される原水の温度を測定することができる。この温度を基に、三方弁１０が有する第１弁部１１、第２弁部１２および第３弁部１３を開状態又は閉状態へ切り換えたり、開度の調整等を行ったりすることにより、浄水器２へ供給される原水の温度を調整することができる。
【００４８】
また、蒸気式加湿器３の貯留槽３１が断熱材７によって覆われていることにより、貯留槽３１から発生した熱が断熱材７により外部に放出されにくくなる。これにより、第１配管４における熱交換部４１が蒸気式加湿器３から熱を受け取る量が増加する。そのため、加湿装置１におけるエネルギーロスを低減できる。
【００４９】
また、第１配管４の一部である熱交換部４１が断熱材７によって覆われていることにより、貯留槽３１から発生し、熱交換部４１へ伝わった熱が断熱材７により外部に放出されにくくなる。これにより、貯留槽３１から発生した熱を有効に利用できる。そのため、加湿装置１におけるエネルギーロスを低減できる。
【００５０】
以上、本発明の実施形態について図面に基づいて説明したが、具体的な構成は、これらの実施形態に限定されるものでないと考えられるべきである。本発明の範囲は上記した説明ではなく特許請求の範囲によって示され、特許請求の範囲と均等の意味及び範囲内でのすべての変更が含まれる。
【００５１】
上述の実施形態では、第１配管４における第１接続部４２に三方弁１０が配置されているが、第１接続部４２に三方弁が配置されていなくてもよい。例えば、三方弁１０は、第１配管４における第２接続部４３に配置されていてもよい。
【００５２】
また、上述の実施形態では、第１配管４に三方弁１０が配置されているが、三方弁でなく、二方弁が配置されていてもよい。
【００５３】
また、三方弁を用いる場合、三方弁が有する３つの弁部は、それぞれ、開度調節機能を有していてもよく、開度調節機能を有していなくてもよい。例えば、三方弁が有する３つの弁部において少なくとも１の弁部が開度調節機能を有していてもよい。また、三方弁が有する３つの弁部が全て開度調節機能を有していなくてもよい。また、二方弁が有する２つの弁部についても同様である。二方弁を用いる場合、二方弁が有する２つの弁部は、それぞれ、開度調節機能を有していてもよく、開度調節機能を有していなくてもよい。例えば、二方弁が有する２つの弁部において少なくとも１の弁部が開度調節機能を有していてもよい。また、二方弁が有する２つの弁部が全て開度調節機能を有していなくてもよい。
【００５４】
以下に、変形例を説明する。なお、上述した実施形態と同一の構成については同一の符号を用い、その説明を適宜省略する。
【００５５】
（変形例１）
図６に示すように、加湿装置２０１において、第３配管６に弁２１０が配置されている。弁２１０は、図６に示すように第３配管６の途中に配置されていてもよく、第３配管６の上流側端部又は下流側端部に配置されていてもよい。弁２１０の開状態又は閉状態への切り換え、弁２１０の開度の調整等を行うことにより、第３配管６から下流管１４３への非加熱の原水の供給、供給停止および流量調整を行うことができる。
【００５６】
（変形例２）
図７に示すように、加湿装置３０１において、中流管１４２に弁３１０が配置されている。弁３１０は、図７に示すように中流管１４２の途中に配置されていてもよく、中流管１４２の上流側端部又は下流側端部に配置されていてもよい。弁３１０の開状態又は閉状態への切り換え、弁３１０の開度の調整等を行うことにより、中流管１４２から下流管１４３への加熱された原水の供給、供給停止および流量調整を行うことができる。
【００５７】
（変形例３）
図８に示すように、加湿装置４０１において、第１配管４における上流管１４１に主流調整弁４１１が配置され、第３配管６に弁４１２が配置されている。
主流調整弁４１１は、図８に示すように上流管１４１の途中に配置されていてもよく、上流管１４１の上流側端部又は下流側端部に配置されていてもよい。また主流調整弁４１１は、下流管１４３に配置されていてもよい。主流調整弁４１１の開状態又は閉状態への切り換え、主流調整弁４１１の開度の調整等を行うことにより、中流管１４２および第３配管６への原水の供給、供給停止および流量調整を行うことができる。また、浄水器２への原水の供給、供給停止および流量調整を行うことができる。
弁４１２は、図８に示すように第３配管６の途中に配置されていてもよく、第３配管６の上流側端部又は下流側端部に配置されていてもよい。弁４１２の開状態又は閉状態への切り換え、弁４１２の開度の調整等を行うことにより、第３配管６から下流管１４３への非加熱の原水の供給、供給停止および流量調整を行うことができる。
【００５８】
（変形例４）
図９に示すように、加湿装置５０１において、第１配管４における上流管１４１に主流調整弁５１１が配置され、第１配管４における中流管１４２に弁５１２が配置されている。
主流調整弁５１１は、図９に示すように上流管１４１の途中に配置されていてもよく、上流管１４１の上流側端部又は下流側端部に配置されていてもよい。また主流調整弁５１１は、下流管１４３に配置されていてもよい。主流調整弁５１１の開状態又は閉状態への切り換え、主流調整弁５１１の開度の調整等を行うことにより、中流管１４２および第３配管６への原水の供給、供給停止および流量調整を行うことができる。また、浄水器２への原水の供給、供給停止および流量調整を行うことができる。
弁５１２は、図９に示すように中流管１４２の途中に配置されていてもよく、中流管１４２の上流側端部又は下流側端部に配置されていてもよい。弁５１２の開状態又は閉状態への切り換え、弁５１２の開度の調整等を行うことにより、中流管１４２から下流管１４３への加熱された原水の供給、供給停止および流量調整を行うことができる。
【００５９】
（変形例５）
図１０に示すように、加湿装置６０１において、第１配管４における中流管１４２に弁６１１が配置され、第３配管６に弁６１２が配置されている。
弁６１１は、図１０に示すように中流管１４２の途中に配置されていてもよく、中流管１４２の上流側端部又は下流側端部に配置されていてもよい。弁６１１の開状態又は閉状態への切り換え、弁６１１の開度の調整等を行うことにより、中流管１４２から下流管１４３への加熱された原水の供給、供給停止および流量調整を行うことができる。
弁６１２は、図１０に示すように第３配管６の途中に配置されていてもよく、第３配管６の上流側端部又は下流側端部に配置されていてもよい。弁６１２の開状態又は閉状態への切り換え、弁６１２の開度の調整等を行うことにより、第３配管６から下流管１４３への非加熱の原水の供給、供給停止および流量調整を行うことができる。
弁６１１および弁６１２の両方を調整することにより、上流管１４１から中流管１４２と第３配管６に分配される原水の量を調整することができる。これにより、下流管１４３に流れる加熱された原水と非加熱の原水の流量が調整されるため、浄水器２へ供給される原水の温度を調整することができる。また、弁６１１および弁６１２の両方を調整することにより、下流管１４３へ流れる原水の流量、つまり、浄水器２へ供給される原水の量を調整することができる。
【００６０】
上記変形例２、４、５において、中流管１４２において、弁３１０、５１２、６１１は、熱交換部４１の上流に配置されている。しかし、中流管１４２に配置される弁３１０、５１２、６１１は、熱交換部４１の下流に配置されていてもよい。
【００６１】
上記変形例１〜５では、上流管１４１、中流管１４２、下流管１４３および第３配管６のうち１又は２の配管に弁が配置されている、しかし、上流管１４１、中流管１４２、下流管１４３および第３配管６のうち３以上の配管に弁が配置されていてもよい。
【００６２】
また、上述の実施形態では、第１配管４における熱交換部４１が蒸気式加湿器３の貯留槽３１に巻回されている。これにより、熱交換部４１が蒸気式加湿器３を構成する部材のうち貯留槽３１から熱を受け取ることが可能である。しかし、熱交換部４１の位置は上述した位置に限られない。第１配管４における熱交換部４１が蒸気式加湿器３を構成する部材のいずれかから熱を受け取ることが可能であれば、熱交換部４１は他の位置に配置されていてもよい。
例えば、熱交換部４１が、蒸気式加湿器３の加熱器３２に巻回されていてもよい。また、加熱器３２が貯留槽３１の外部に設けられ、熱交換部４１が、加熱器３２の周囲に配置され、貯留槽３１に直接巻回されていなくてもよい。これらの構成により、熱交換部４１を通過する原水が、加熱器３２から熱を受け取ることができる。
また、熱交換部４１が、蒸気式加湿器３の貯留槽３１の周囲に配置され、貯留槽３１に巻回されていなくてもよい。また、熱交換部４１が、蒸気式加湿器３の貯留槽３１を貫通していてもよい。これらの構成により、熱交換部４１を通過する原水が、蒸気式加湿器３を構成するいずれかの部材から熱を受け取ることができる。
さらに、蒸気式加湿器３が、貯留槽３１および加熱器３２以外の部材を有しており、熱交換部４１が、貯留槽３１、加熱器３２および他の部材のいずれかから熱を受け取ることが可能な位置に配置されていてもよい。
【００６３】
また、上述の実施形態では、第１配管４の一部である熱交換部４１が蒸気式加湿器３に巻回されていることにより、第１配管４の一部である熱交換部４１が蒸気式加湿器３を構成する部材のいずれかから熱を受け取ることが可能となっている。しかし、第１配管の全てが、蒸気式加湿器３を構成する部材のいずれかから熱を受け取ることが可能な位置に配置されていてもよい。
【００６４】
また、上述の実施形態では、第１配管４における下流管１４３に温度計８が配置されている。しかし、温度計が配置される位置は下流管１４３でなくてもよい。温度計が、中流管に配置されていてもよく、上流管に配置されていてもよく、第３配管に配置されていてもよい。また、２つ以上の温度計が上記配管に配置されていてもよい。また、温度計が、第１配管および第３配管に配置されていなくてもよい。
【００６５】
また、上述の実施形態では、第１配管４における熱交換部４１が蒸気式加湿器３の貯留槽３１から熱を受け取ることが可能な位置に配置され、貯留槽３１と熱交換部４１が断熱材７により覆われている。しかし、断熱材７は、貯留槽３１だけを覆っていてもよい。断熱材７は、熱交換部４１だけを覆っていてもよい。断熱材７は、貯留槽３１と熱交換部４１に加えて加熱器３２も覆っていてもよい。また、熱交換部４１が加熱器３２から熱を受け取ることが可能な位置に配置されている場合、加熱器３２が断熱材７に覆われていてもよく、熱交換部４１が断熱材７に覆われていてもよく、加熱器３２と熱交換部４１の両方が断熱材７に覆われていてもよい。これに加えて、貯留槽３１が断熱材７に覆われていてもよい。さらに、貯留槽３１、加熱器３２および熱交換部４１が断熱材７により覆われていなくてもよい。
【００６６】
また、上述の実施形態では、貯留槽３１は、第４配管３７を介して空気調和機１００に接続されている。しかし、貯留槽３１は、空気調和機１００に接続されていなくてもよい。また、貯留槽３１は、空気調和機１００以外の機器に接続されていてもよい。
【００６７】
また、上述の実施形態では、第２配管５から分岐配管５１が分岐し、分岐配管５１は加湿器６１に接続されている。しかし、第２配管５から配管が分岐していなくてもよい。また、浄水器２は、第２配管５および分岐配管５１を介して加湿器６１に接続されている。しかし、浄水器２は、蒸気式加湿器３以外の加湿器に接続されていなくてもよい。また、浄水器２は、３台以上の加湿器に接続されていてもよい。また、浄水器２は、加湿器以外の機器に接続されていてもよい。
【００６８】
また、上述の実施形態に示す浄水器２の構成および蒸気式加湿器３の構成は一例である。浄水器２の構成および加湿器の構成は、上述の実施形態に示す構成以外の構成でもよい。例えば、上述の実施形態の蒸気式加湿器３において、加熱器３２が配置される位置は変更可能である。
【符号の説明】
【００６９】
１、２０１、３０１、４０１、５０１、６０１        加湿装置
２                浄水器
３                蒸気式加湿器
４                第１配管
５                第２配管
６                第３配管
７                断熱材
８                温度計
１０              三方弁
１１              第１弁部
１２              第２弁部
１３              第３弁部
２１              逆浸透膜
３１              貯留槽
３２              加熱器
４１              熱交換部
４２              第１接続部
４３              第２接続部
１４１            上流管
１４２            中流管
１４３            下流管
２１０、３１０    弁
【図１】
2020070982.tif 000003
【図２】
2020070982.tif 000004
【図３】
2020070982.tif 000005
【図４】
2020070982.tif 000006
【図５】
2020070982.tif 000007
【図６】
2020070982.tif 000008
【図７】
2020070982.tif 000009
【図８】
2020070982.tif 000010
【図９】
2020070982.tif 000011
【図１０】
2020070982.tif 000012